(57)【要約】      （修正有）【課題】例えば飲食店においてフライドチキンを揚げたてのカリカリとした食感を損なうことがなく来店する顧客に特別な構成の皿を用いてフライドチキン料理提供皿を提供する。【解決手段】フライドチキンと少なくともこれに付け合わせるサラダを一度に乗せるフライドチキン料理提供皿１であって、フライドチキンに付け合わせるサラダを少なくとも乗せる皿本体１０と、皿本体１０の皿上面部１１に少なくとも一箇所設けられ、皿上面部１１から上方に向かって延在したフライドチキン串刺しスティック２０を有し、フライドチキン串刺しスティック２０は、皿本体上面部１１に対して着脱可能となっており、かつフライドチキン串刺しスティック２０は、複数個のフライドチキンを直列に並べて串刺せる長さを有している。【選択図】図１
0003201878.tif 000002
【実用新案登録請求の範囲】
【請求項１】
フライドチキンと少なくともこれに付け合わせるサラダを一度に乗せるフライドチキン料理提供皿であって、
前記フライドチキンに付け合わせるサラダを少なくとも乗せる皿本体と、
前記皿本体の皿上面部に少なくとも一箇所設けられ、当該皿上面部から上方に向かって延在したフライドチキン串刺しスティックを有し、
前記フライドチキン串刺しスティックは、前記皿本体上面部に対して着脱可能となっており、かつ
前記フライドチキン串刺しスティックは、複数個のフライドチキンを直列に並べて串刺せる長さを有していることを特徴とするフライドチキン料理提供皿。
【考案の詳細な説明】
【技術分野】
【０００１】
本考案は、例えば飲食店においてフライドチキンを来店する顧客に提供するにあたり、揚げたてのカリカリとした食感を損なうことがなく提供するのに適したフライドチキン提供皿に関する
【背景技術】
【０００２】
従来からフライドチキンとこれに付け合わせるサラダであってドレッシングのかかったサラダやタルタルソースの入ったココット容器が一つの皿に盛り付けられて提供されていることが多い。このような場合、飲食店のスタッフが、テーブルに皿が置かれた後にサラダに含まれる水分やサラダにかかったドレッシングがフライドチキンにしみ込まないように気を付けながら盛り付けを行うことが必要である。
【０００３】
一方、てんぷらやトンカツなどの揚げ物を皿に盛った際にタレやソースなどの調味料が揚げ物にしみ込んで揚げ物のカリカリとした食感が損なわることで美味しさが半減するのを防止するために、揚げ物の美味しさを保つための皿が知られている（例えば特許文献１及び特許文献２参照）。
【先行技術文献】
【特許文献】
【０００４】
【特許文献１】特開平１１−２１６０５５号公報
【特許文献２】実用新案登録第３００３６６３号公報
【考案の概要】
【考案が解決しようとする課題】
【０００５】
一般的な皿や上述した特許文献１，２に記載した皿を利用して例えば複数のフライドチキンを飲食店において大人数で食事する際に、フライドチキンと一緒に食べるドレッシングのかかったサラダなどをこの皿に同時に乗せようとすると、サラダのドレッシングの一部は皿の底に溜まるが、残りの一部はサラダの横のフライドチキンにしみ込んでしまい、フライドチキンのカリカリした食感を味わうことができない。特に、サラダとフライドチキンの盛り付けを雑に行うと、サラダがフライドチキンの一部を覆ってしまい、サラダに含まれる水分やサラダにかかったドレッシングがフライドチキンにしみ込み、フライドチキンがふやけてその美味しさが一気に半減してしまう問題が生じていた。
【０００６】
また、皿にフライドチキンとドレッシングのかかったサラダを一応区分けしながらも皿全体に一度に盛り付けるため、フライドチキンの肉汁とサラダに含まれる水分やドレッシングとが混ざり合う部分が生じてしまい、サラダ自体の美味しさも半減してしまう。
【０００７】
そのため、このようなフライドチキンとサラダが接していない部分に置かれたフライドチキンを早めに食べるのであれば、そのフライドチキンのカリカリとした食感を味わうことができるが、しばらく時間が経過した後に上述した様なサラダと隣り合ったフライドチキンを食べようとすると、サラダに含まれる水分やサラダにかかったドレッシングがフライドチキンにしみ込んでいるため、フライドチキンのカリカリとした食感は既に失われ、上述したような心地よい食感を味わうことができなくなってしまう。
【０００８】
特に大きめな皿に大人数で取り分けができるように多数のフライドチキンと多くのサラダを盛り付けた場合、皿の縁の近くに乗ったカリカリとした食感を味わうことのできるフライドチキンを先に食べた人はその美味しさを十分堪能できるが、会話に熱中したりしていて皿の真ん中あたりに置かれサラダと接したままのフライドチキンを後で食べた人は、上述のような美味しいフライドチキンを食べることができず、その料理を楽しむことができない。
【０００９】
本考案の目的は、例えば飲食店においてフライドチキンを揚げたてのカリカリとした食感を損なうことがなく来店する顧客に特別な構成の皿を用いてフライドチキン料理を提供することにある。
【課題を解決するための手段】
【００１０】
上記目的を達成するために本考案の請求項１に係るフライドチキン提供皿は、
フライドチキンと少なくともこれに付け合わせるサラダを一度に乗せるフライドチキン料理提供皿であって、
前記フライドチキンに付け合わせるサラダを少なくとも乗せる皿本体と、
前記皿本体の皿上面部に少なくとも一箇所設けられ、当該皿上面部から上方に向かって延在したフライドチキン串刺しスティックを有し、
前記フライドチキン串刺しスティックは、前記皿本体上面部に対して着脱可能となっており、かつ
前記フライドチキン串刺しスティックは、複数個のフライドチキンを直列に並べて串刺せる長さを有していることを特徴としている。
【考案の効果】
【００１１】
本考案によると、串刺された複数個のフライドチキンをサラダやドレッシングとの触れあう部分の領域を僅かな領域にするか、フライドチキンとサラダやドレッシングが触れ合わない状態でフライドチキンを提供することができると共に、フライドチキンの食事中にこの状態を維持することができる。
【００１２】
これによって一般的な皿を利用してフライドチキンとこれに付け合わせるサラダやタルタルソースの入ったココットなどを一度に乗せてフライドチキン料理を提供する場合の問題点を解決することができる。
【００１３】
具体的には、一般的な皿を利用して例えば複数のフライドチキンを飲食店において比較的大人数で食事する際に、フライドチキンと一緒に食べるドレッシングのかかったサラダをこの皿に同時に乗せようとすると、サラダに含まれる水分やサラダにかかったドレッシングの一部は皿の底に溜まるが、残りの一部はサラダの横のフライドチキンにしみ込んでしまい、フライドチキンがふやけてしまい、揚げたてのフライドチキンのカリカリした食感を味わうことができない。
【００１４】
この際、一般的な皿を利用した場合、フライドチキンとサラダが接していない部分に置かれたフライドチキンを早めに食べるのであれば、そのフライドチキンのカリカリとした食感を味わうことができるが、しばらく時間が経過した後に上述した様なサラダと隣り合ったフライドチキンを食べようとすると、そのフライドチキンのカリカリとした食感は既に失われ、かつフライドチキンがサラダに含まれる水分やサラダにかかったドレッシングを含んでしまい、上述した様な心地よい食感を味わうことができなくなってしまう。
【００１５】
しかしながら、本考案によると、一般的な皿と異なる特有の構成を有することでこのような問題が生じることはない。
【００１６】
特に例えば飲食店においてフライドチキン料理を提供するスタッフが経験不足の場合や、店内が混み合ってその場にいるスタッフだけではフライドチキン料理の素早い提供ができない場合などに、フライドチキンとこれに付け合わせるサラダの盛り付けを雑に行うとフライドチキンの肉汁とサラダに含まれる水分やサラダにかかったドレッシングとが混ざり合ってしまい、フライドチキンのカリカリとした食感を楽しめないだけでなく、サラダの味もフライドチキンの肉汁で変わってしまい、美味しいフライドチキン料理を顧客が堪能することができなくなるが、本考案によるとこのような問題が生じることがない。
【００１７】
また、従来の大きめな皿に大人数で取り分けができるように多数のフライドチキンと多くのサラダを盛り付けた場合、皿の縁の近くに乗ったカリカリとした食感を味わうことのできるフライドチキンを先に食べた人はその美味しさを十分堪能できるが、会話に熱中したりしていて皿の真ん中のあたりに置かれてサラダと接したままのフライドチキンを後で食べた人は、上述のような美味しいフライドチキンを食べることができず、その料理を楽しむことができない。しかしながら、本考案によるとこのような問題を生じさせずに済む。
【００１８】
また、本考案によると、フライドチキン串刺しスティックを皿本体に対して着脱可能な構造を有しているので、顧客が料理を食べ終わって片付ける際に、フライドチキン料理提供皿を使用後に皿本体からフライドチキン串刺しスティックを取り外し、皿本体とフライドチキン串刺しスティックを分離して洗うことができる。そのため、洗う作業に手間がかかることもなく、皿やフライドチキン串刺しスティックの清潔を保つことができ、かつフライドチキン料理提供皿とフライドチキン串刺しスティックを分けて保管することができるため、余分な収納スペースを必要としない。
【図面の簡単な説明】
【００１９】
【図１】本考案の一実施形態に係るフライドチキン提供皿を示す斜視図である。
【図２】図１に示したフライドチキン提供皿を用いてフライドチキン料理を提供する際の状態を示す斜視図である。
【考案を実施するための形態】
【００２０】
以下、本考案の一実施形態に係るフライドチキン提供皿について説明する。本考案の一実施形態に係るフライドチキン提供皿（以下単に「フライドチキン提供皿」とする）は、飲食店のスタッフの経験の如何に関わらずフライドチキンとこれに付け合わせるサラダやサラダにかけるドレッシング等を一度に上手く乗せることができる皿である。そして、このフライドチキン提供皿は、フライドチキンに付け合わせるサラダであって美味しいドレッシングのかかったサラダ、タルタルソースの入ったココット（本実施形態では２種類のタルタルソースがそれぞれ入った２つのココットを乗せたりする皿本体と、皿本体上面部に少なくとも一箇所設けられ（本実施形態では中央部分に一箇所）接続部分を介して皿上面部から上方に向かって延在したフライドチキン串刺しスティックを有している。なお、フライドチキン串刺しスティックは、皿本体の上面部から着脱可能となっている。また、フライドチキン串刺しスティックは、複数個のフライドチキンを直列に並べて串刺せる長さを有している。
【００２１】
以下、上述したフライドチキン提供皿の具体的な構成を図面に基づいて説明する。図１は、本考案の一実施形態に係るフライドチキン提供皿を示す斜視図である。また、図２は、図１に示したフライドチキン提供皿を用いてフライドチキン料理を提供する際の状態を示す斜視図である。
【００２２】
フライドチキン提供皿１の皿本体１０は、深さの浅く平たい皿であり、円形状をなす皿上面部１１と、皿上面部１１の周囲全体に亘って立ち上がった縁部１２からなる。皿本体１０の大きさは、図２に示すように、例えば２人から４、５人がフライドチキン１０１，１０２，１０３，１０４，１０５，・・・（１００）とその付け合わせのサラダ２００を取り分けて各人が食べることができる程度の量を乗せることができる十分な大きさを有している。
【００２３】
なお、図２においては皿本体１０の上には、ドレッシングのかかったサラダ２００やフライドチキン１００に付ける異なる味のタルタルソースがそれぞれ入った２つのココット３００を合わせて乗せている。そして、皿本体１０の円形をなす皿上面部１１の中央部には図面では詳細には示さないメスねじ部が皿本体１０の厚さ方向所定の位置まで形成されている。
【００２４】
フライドチキン串刺しスティック２０は、本実施形態の場合、細長いステンレスの棒状体でできており、先端が鋭角にとがってスティック先端鋭角部２１となっている。フライドチキン串刺しスティック２０は、図２に示すようにスティック下方から複数個のフライドチキン１００をスティック先端鋭角部２１から容易に串刺しできる十分な長さを有している。そして、図２においては、必要な数のフライドチキン１００を刺した後に、スティック先端鋭角部２１に本考案に係るフライドチキン提供皿１で顧客に提供する際のアピールとなる紙製のタグ５００が結びつけられている。本実施形態では、このタグ５００にはこのようなユニークなフライドチキン提供皿１を用いて顧客にフライドチキン料理を提供することを印象付けるように「ロケットチキン」というネーミングが英語表記されている。
【００２５】
フライドチキン串刺しスティック２０の下端部には、オスねじ部２２が形成され、上述した皿本体１０の上面部１１に形成されたメスねじ部（図示せず）にねじ込んでしっかりと両者を接続すると共に、使用済みのフライドチキン提供皿１をスタッフが片付け、これを洗うときにネジを緩めて皿本体１０からフライドチキン串刺しスティック２０を容易に取り外すことができるようになっている。
【００２６】
なお、フライドチキン串刺しスティック２０の長さは、特定の長さに限定されるものではない。即ち、フライドチキン提供皿１を用いて料理を提供する際に、顧客の人数に応じたフライドチキン１００を串刺しできるように、串刺しするフライドチキン１００の数に合わせた長さを有したフライドチキン串刺しスティック２０を所定本数分予め用意しておくと、フライドチキン提供皿１の使い勝手が向上する。
【００２７】
以上のような構成により、飲食店においてフライドチキン提供皿１を用いてフライドチキン１００と付け合わせるサラダ２００を提供することにより、串刺された複数個のフライドチキン１００とサラダ２００やドレッシングとの触れあう部分の領域を僅かな領域にするか、フライドチキン１００とサラダ２００やドレッシングが触れ合わない状態でフライドチキン料理を提供すると共に、この料理の食事中にこの状態を維持することができる。
【００２８】
以下、従来の皿と比較した本考案に係るフライドチキン提供皿１の優位点を再度確認する。従来の皿でフライドチキン料理を提供しようとすると、皿とフライドチキンの間に盛り合わせのサラダに含まれる水分やサラダにかかったドレッシングがフライドチキンにしみ込むことでふやけてしまうと共に、フライドチキンから出た肉汁が必要以上に出てきてしまうため、揚げたてのフライドチキンの最大の魅力であるサクサク感があっという間に損なわれてしまうだけでなく、フライドチキンの肉汁がドレッシングと混ざり合ってサラダの美味しさも半減してしまうが、本考案によるフライドチキン提供皿によるとこのような問題を生じさせずに済む。
【００２９】
また、従来の皿にフライドチキンとサラダを互いに接するように一緒に乗せているので、フライドチキンにドレッシングが付くと、このドレッシングの味によりフライドチキン自体の味が変わってしまうが、本考案によるフライドチキン提供皿によるとこのような問題を生じさせずに済む。
【００３０】
また、フライドチキン料理を提供する際、従来、店のスタッフが顧客一人一皿ずつ持っていく場合があり大変手間がかかっていたが、本考案によるフライドチキン提供皿によると、数多くのフライドチキンをこれに付け合わせるサラダであってドレッシングのかかったサラダやタルタルソースの入ったココットと一緒に顧客のいるテーブルに一度に持って行くことができるので、上述のような問題を生じさせずに済む。
【００３１】
また、フライドチキン串刺し棒と皿本体とのネジによる結合部を緩めてフライドチキン串刺し棒を皿本体から取り外すことで、皿本体とフライドチキン串刺し棒を別々に洗うことができる。つまり、例えばフライドチキンの肉汁だけがついた多数のフライドチキン串刺し棒だけを纏めて一度に洗うことができるので、これらの洗う時間の短縮を図ると共にフライドチキン串刺し棒の清潔度合いを向上させることができる。
【００３２】
また、皿本体とフライドチキン串刺し棒を別々に収納できるため、無駄な収納スペースを取ることなく、これらを合理的に収納して保管することができる。
【００３３】
また、フライドチキン料理を提供する際の飲食店のスタッフの負担が低減し、従来よりも顧客を待たせることなく出来立てのフライドチキン料理を顧客に素早く提供できる。具体的には、例えば３人前のフライドチキン料理まで一つのフライドチキン提供皿で顧客の待つテーブルまで持っていけるので、フライドチキンが提供にあたってスタッフが厨房とテーブル間を何度も往復する必要がない。また、経験不足のスタッフであっても１つのフライドチキン提供皿にフライドチキンとサラダを確実に分けた状態で乗せることができるので、カリカリ感を保った美味しいフライドチキンを顧客に常に提供できる。
【００３４】
また、フライドチキンやサラダを乗せたフライドチキン提供皿自体の見栄えがとても良く、一目見て印象に残るユニークな皿であるので、多くの顧客がＳＮＳ上などに写真をアップするようになり、マーケティングの負担が減る。これにより、フライドチキンの美味しさを提供する他には見られないやり方を口コミで容易に拡げることができる。
【００３５】
なお、本考案においては、上述した実施形態で説明したように、皿本体は木製でできた皿に限らず、樹脂や金属でできた皿であっても良い。また、陶器でできた皿であっても、フライドチキン串刺しスティックとの着脱が可能であるような工夫を施せば利用可能である。
【００３６】
また、皿本体とフライドチキン串刺しスティックとは互いにネジで結合したり外したりすることができるようになっているが、必ずしもネジによる両者の締結構成とする必要ない。しかしながら、皿本体とフライドチキン串刺しスティックとの接続部をネジ止め構造とすることにより、フライドチキンを顧客のところまでスタッフが運んでいったりテーブルの上にフライドチキンを置いたまま顧客が会話を楽しみながらフライドチキンを賞味したりする際の皿の安定性、安全性が向上する。
【００３７】
なお、フライドチキン串刺しスティックは、上述の実施形態ではステンレスでできていたが、本考案の作用を発揮すればこの材質に限定されないことは言うまでもない。
【００３８】
また、上述の実施形態では皿本体の上面部の中央にメスねじ部を設け、このメスねじ部にフライドチキン串刺しスティックの下端部をねじこんだり、外したりするようになっていたが、このような着脱部分を例えば皿の直径方向中心から等間隔で２箇所ほど設けて２本のフライドチキン串刺しスティックを皿に着脱可能なように設けたり、皿の上面の中心部の周方向３箇所等間隔の角度で、このような着脱部分を設け、３本のフライドチキン串刺しスティックを着脱できるようにしても良い。
【００３９】
このようにすることで、複数個提供するフライドチキンを、これを食べる人数に合わせて均等な数のフライドチキンをフライドチキン串刺しスティックに刺したまま顧客に提供することができるので、使い勝手が良くなる。
【００４０】
なお、皿の形が皿の上面が平面状をなさずに中心からある程度の角度をなして斜め上方に向かうような傾斜のついた皿でも本考案は利用可能である。
【００４１】
また、本考案に係るフライドチキン提供皿を用いてフライドチキンの代わりに複数のスペアリブをフライドチキン串刺しスティックに刺して顧客に提供することも可能である。
【００４２】
最後に、上述した実施形態は、あくまで本考案の一例を示すもので、本考案の範囲を逸脱しなければ上述のような寸法、材質、形状に本考案を限定する必要はなく、適宜設計変更を可能とすることは言うまでもない。
【符号の説明】
【００４３】
１    フライドチキン提供皿
１０    皿本体
１１    皿上面部
１２    縁部
２０    フライドチキン串刺しスティック
２１    スティック先端鋭角部
２２    オスねじ部
１０１，１０２，１０３，１０４，・・・（１００）    フライドチキン
２００    サラダ
３００    ココット
５００    タグ
【図１】
0003201878.tif 000003
【図２】
0003201878.tif 000004